(57)【特許請求の範囲】
【請求項１】
重機のアームに揺動自在に取付けたカッタ本体と、このカッタ本体より延設する一方の刃体と、前記カッタ本体に揺動自在に取付けた他方の刃体と、この他方の刃体を揺動する手段とで構成される重機のアームに取付けたタンク類のカッタであって、
前記一方の刃体を、下側に設けた前記他方の刃体の噛合い刃部と噛合する一方の刃体の噛合い刃部と、この噛合い刃部の先端に設けた嘴状の刃先とで構成し、前記他方の刃体の噛合い刃部を前記一方の刃体の噛合い刃部の略１／２の長さに形成する構成とした重機のアームに取付けたタンク類のカッタ。
【請求項２】
重機のアームに揺動自在に取付けたカッタ本体と、このカッタ本体より延設する噛合い刃部及び嘴状の刃先とを備えた一方の刃体と、前記カッタ本体に揺動自在に取付けた噛合い刃部を備えた他方の刃体と、この他方の刃体を揺動する手段とで構成される重機のアームに取付けたタンク類のカッタを利用するタンクのカット方法であって、
前記タンクの上部の薄肉部位を、前記一方の刃体の噛合い刃部及び嘴状の刃先で、当該タンクの上方より下方に向かって切り下ろし所作により、カットする工程と、
前記タンクの下部の厚肉部位を、前記一方の刃体の噛合い刃部と前記他方の刃体の噛合い刃部とでタンクの鋼板を挾んだ状態でアームを動かして、前記一方の刃体の噛合い刃部と、前記他方の刃体の噛合い刃部との噛合い所作により、カットする工程と、
で構成した重機のアームに取付けたタンク類のカッタを利用するタンクのカット方法。
【発明の詳細な説明】
【０００１】
【産業上の利用分野】
本発明は、重機のアームに取付けたタンク類のカッタと、このカッタを利用するタンクのカット方法に関する。
【０００２】
【従来の技術】
従来、石油備蓄タンク類（以下、タンクとする）を解体する方法としては、解体具、破砕爪等を利用して、鋼板を強制的に引き千切る方法である。この引き千切り方法は、解体した鋼板（タンク廃材）がランダムであって、その処理に難渋すること、又は車輌に載積した際に、嵩張り、載積量が少なくなり非能率であり、かつコスト高となること、及び搬送回数が増えることから、交通障害の基となること、等の課題が考えられる。
【０００３】
次に、前述の引き千切り方法の改良となり、かつ本発明と関連がある内容を、先行技術文献（１）〜（３）を、参考として列挙する。
【０００４】
文献（１）は、特開平８−２８４４３６号の高層建造物用解体装置である。内容は、解体装置ユニットによる切断であって、可動シリンダの作動で支持部材がピンを支点として上下方向に回動し、この支持部材に設けた掴み用の解体具を、操作用シリンダの作動で開閉動作して掴み破壊（切取り）する構成であり、地上２０ｍ以上の高所の解体ができる特徴がある。
【０００５】
文献（２）は、特開平９−４１６８１号の破砕切断機である。内容は、固定顎本体と可動顎本体とを開閉自在として外筺に設け、固定顎本体の幅方向一端側には、固定顎本体の長手方向に沿って固定側切断刃を装着した立上部を形成し、固定顎本体の幅方向他端側の先端箇所には先端立上部を形成する。尚、可動顎本体はシリンダを介して固定顎本体側に閉じると、固定顎本体の固定顎側突起が構造物の鉄板の内方より押圧して食込み、さらに可動顎側突起が鉄板の外側より押圧して食込んで切断する構成であり、可動顎側本体が固定顎本体側に向かって移動することで、可動顎側突起が鉄板を突き破ることを特徴とする。
【０００６】
文献（３）は、特開平１１−１３１８２６号のタンク類の解体方法である。内容は、穿孔動作及び切断動作が可能な開閉自在な刃を有するアタッチメントを取付けた作業車である。この作業車による切断は、タンク側面に開孔部を形成し、当該開孔部を始点としてタンク側面に切込みを入れ、切込み片を除去することで開孔部を拡大し、タンクが座屈する前に、タンクの開孔部の上方を支持し、開孔部上方両端にさらに切込みを入れた後、タンク上部の自重も利用しつつ、タンクへの支持力を調節する構成であり、タンクを座屈させ、座屈後にタンク処理することを特徴とする。
【０００７】
【発明が解決しようとする課題】
以上で説明した文献（１）は、解体具を利用して掴み切取りする構成である。この掴み切取り作業は、タンクの上方（天井面）の薄肉の場合でも行われ、最終的には、タンクの下部（底部）まで同じ作業が行われる。しかし、この掴み切取り作業は、解体具を揺動する動作が必要であるので、ことのほか、作業に手間と、時間を要する問題がある。またタンクの上方は、通常、薄肉構造であるので、カットして切断できるに拘らず、解体具の揺動作業を行うことは、無駄である。また文献（２）は、固定顎本体と、揺動（可動）する可動顎本体でなり、この可動顎本体の揺動を利用して切断する構成であり、前記文献（１）と同様な課題が考えられる。さらに文献（３）は、アタッチメントを備えた刃を利用して、タンクに切り溝を形成し、この切り溝を利用して倒壊又は破壊する構成である。従って、危険性を伴うこと、切断したタンク廃材がランダムであって、その処理に難渋すること、又は車輌に載積した際に、嵩張り、載積量が少なくなり非能率であり、かつコスト高となること、及び搬送回数が増えることから、交通障害の基となること、等の課題が考えられる。
【０００８】
【課題を解決するための手段】
請求項１の発明は、タンク廃材を、ランダムに折曲げることなく切断し、しかも簡易かつスムーズに整理可能な形態に切断すること、この切断により後処理の容易化、車輌への載積の容易化、又は嵩張りに基づく弊害の除去等を意図する。また他方の刃体の噛合い刃部を一方の刃体の噛合い刃部の略１／２の長さに形成したことで、タンクの鋼板をカットするに最適なカッタを提供することを意図する。
【０００９】
請求項１は、重機のアームに揺動自在に取付けたカッタ本体と、このカッタ本体より延設する一方の刃体と、前記カッタ本体に揺動自在に取付けた他方の刃体と、この他方の刃体を揺動する手段とで構成される重機のアームに取付けたタンク類のカッタであって、
前記一方の刃体を、下側に設けた前記他方の刃体の噛合い刃部と噛合する一方の刃体の噛合い刃部と、この噛合い刃部の先端に設けた嘴状の刃先とで構成し、前記他方の刃体の噛合い刃部を前記一方の刃体の噛合い刃部の略１／２の長さに形成する構成とした重機のアームに取付けたタンク類のカッタである。
【００１０】
【００１１】
請求項２の発明は、タンクの構造に対応した解体、例えば、タンクの上部の薄肉部位における切り下ろし所作によるカットと、タンクの下部の厚肉部位における揺動による噛合い所作によるカットとが可能な解体方法の提供と、この掴み切取り作業は、解体具を揺動する動作が必要であるので、ことタンクの構造に対応した解体を行うことで、短時間での効率的な解体と、解体に対する作業の簡略化、低コスト化、公害（騒音、塵埃等）の発生回避等を図ることを意図する。また、タンクの上部は薄肉であるので、比較的簡便にカットされることと、このタンク廃材はランダムにならず、一枚板の如く、美麗に切断されることを意図する。
【００１２】
請求項２は、重機のアームに揺動自在に取付けたカッタ本体と、このカッタ本体より延設する噛合い刃部及び嘴状の刃先とを備えた一方の刃体と、前記カッタ本体に揺動自在に取付けた噛合い刃部を備えた他方の刃体と、この他方の刃体を揺動する手段とで構成される重機のアームに取付けたタンク類のカッタを利用するタンクのカット方法であって、
前記タンクの上部の薄肉部位を、前記一方の刃体の噛合い刃部及び嘴状の刃先で、当該タンクの上方より下方に向かって切り下ろし所作により、カットする工程と、
前記タンクの下部の厚肉部位を、前記一方の刃体の噛合い刃部と前記他方の刃体の噛合い刃部とでタンクの鋼板を挾んだ状態でアームを動かして、前記一方の刃体の噛合い刃部と、前記他方の刃体の噛合い刃部との噛合い所作により、カットする工程と、
で構成した重機のアームに取付けたタンク類のカッタを利用するタンクのカット方法である。
【００１３】
【発明の実施の形態】
本発明の解体の一例を説明する。例えば、図４に示した如く、タンクの天井面の鋼板を、他の切断機、又は本発明のカッタを利用してカットする。その後、他方の刃体を揺動し、一方の刃体に対して略６０°程度移動して、この一方の刃体の噛合い刃部を開放する。この開放された一方の刃体に設けた嘴状の刃先をタンク内に設け、かつ一方の刃体（以下、復唱する際には同とする）に設けた噛合い刃部をタンクの上部に添接する（同図（イ）参照）。この噛合い刃部をタンクの上部に添接した状態で、重機のアームを順次下方に移動する。このアームの下方への移動を利用して、タンクの上部をカットする。前述の如く、この上部は薄肉であるので、比較的簡便にカットできることと、このタンク廃材はランダムにならず、例えば、一枚板の如く、美麗に切断される。美麗に切断される特徴は詳述した。
【００１４】
以上の下方への移動により、薄肉箇所のカットが終了した時点で（同図（ロ）参照）、アームを移動して、対の刃体を立上げる。この立上げで、一方の刃体の噛合い刃部及び嘴状の刃先をタンク内に設け、かつ他方の刃体をタンク外に設ける。そして、他方の刃体を揺動して、この他方の刃体の噛合い刃部と、一方の刃体の噛合い刃部とで、タンクの鋼板を挾む（同図（ハ）参照）。この挾んだ状態で、アームを可動して対の刃体を矢印の如く（同図（ニ）参照）、可動して、噛合い刃部を利用して鋼板を切る（罐切りの感覚）。この作業を繰返し、底部に達した状態で、鋼板のカットが終了する（同図（ホ）、（ヘ）参照）。このカットした廃材（タンク廃材）を所定の場所に移動する。
【００１５】
また、他方の刃体を揺動して、対の刃体を開放した状態、又はカット終了した状態で、アームを移動して、対の刃体を次の切断箇所に移動する。
【００１６】
【実施例】
以下、本発明の一実施例を説明する。
１は重機、２は重機１のアーム、３はアーム２の先端に設けたシリンダ、リンク機構等の手段、４は手段３のピストンロッド等の手段部材、５は手段部材４の先端に設けたリンク、６はアーム２とリンク５間に設けた連結板をそれぞれ示す。この重機１、アーム２、手段３等の構造は一例である。
【００１７】
１０はアーム２に可動自在に設けられたカッタ本体１１を介してアーム２の先に設けた一方の刃体で、この一方の刃体１０には、タンクＡの鋼板Ａ−１をカットするために、後述する他方の刃体に対して大きく形成した噛合い刃部１００を設けるとともに、この噛合い刃部１００の先端に、嘴状の刃先１０１を設ける。
【００１８】
１２は一方の刃体１０に揺動（可動）自在に取付けた他方の刃体で、この他方の刃体１２の噛合い刃部１２０は、前記一方の刃体１０の噛合い刃部１００の略１／２の長さである。換言すると、この他方の刃体１２の噛合い刃部１２０が、一方の刃体１０の噛合い刃部１００に噛合っても、この噛合い刃部１００の略１／２は、開放されている。そして、この噛合い刃部１００の略１／２が開放されていることから、タンクＡの鋼板Ａ−１をカットするに最適な構造となっている。
【００１９】
１３は他方の刃体１２の揺動を司るシリンダ、リンク機構等の手段、１５〜１８、１８ａはそれぞれ枢軸を示す。
【００２０】
次に、カッタ本体１１の可動と、他方の刃体１２の揺動を説明する。カッタ本体１１の可動は、対の刃体の可動となる。このカッタ本体１１の可動は、手段３の手段部材４を作動することで、枢軸１８ａを支点として行われるとともに、このカッタ本体１１に一体である一方の刃体１０が可動する。また他方の刃体１２は、この一方の刃体１０に枢着されており、当然この他方の刃体１２はカッタ本体１１及び一方の刃体１０と同時に可動する。また他方の刃体１２の揺動は、手段１３の手段部材１４を作動することで、枢軸１５を支点として行われる。この他方の刃体１２は、カッタ本体１１及び一方の刃体１０との同時可動と、自身による揺動とを行える。
【００２１】
【発明の効果】
請求項１の発明は、重機のアームに揺動自在に取付けたカッタ本体、このカッタ本体より延設する一方の刃体、このカッタ本体に揺動自在に取付けた他方の刃体、この他方の刃体を揺動する手段とで構成される重機のアームに取付けたタンク類のカッタであって、一方の刃体を、下側に設けた他方の刃体の噛合い刃部と噛合する一方の刃体の噛合い刃部と、噛合い刃部の先端に設けた嘴状の刃先とで構成し、他方の刃体の噛合い刃部を一方の刃体の噛合い刃部の略１／２の長さに形成する構成とした重機のアームに取付けたタンク類のカッタである。従って、タンク廃材を、ランダムに折曲げることなく切断できること、及び簡易かつスムーズに整理可能な形態に切断できること、この切断により後処理の容易化、車輌への載積の容易化、又は嵩張りに基づく弊害の除去が図れること、等の特徴がある。また他方の刃体の噛合い刃部を一方の刃体の噛合い刃部の略１／２の長さに形成したことで、タンクの鋼板をカットするに最適なカッタを提供できる。
【００２２】
【００２３】
請求項２の発明は、重機のアームに揺動自在に取付けたカッタ本体、このカッタ本体より延設する噛合い刃部及び嘴状の刃先とを備えた一方の刃体、カッタ本体に揺動自在に取付けた噛合い刃部を備えた他方の刃体、この他方の刃体を揺動する手段とで構成される重機のアームに取付けたタンク類のカッタを利用するタンクのカット方法であって、タンクの上部の薄肉部位を、一方の刃体の噛合い刃部及び嘴状の刃先で、タンクの上方より下方に向かって切り下ろしてカットする工程と、タンクの下部の厚肉部位を、一方の刃体の噛合い刃部と他方の刃体の噛合い刃部とでタンクの鋼板を挾んだ状態でアームを動かして、一方の刃体の噛合い刃部と、他方の刃体の噛合い刃部との噛合いでカットする工程とで構成した重機のアームに取付けたタンク類のカッタを利用するタンクのカット方法である。従って、タンクの構造に対応した解体、例えば、タンクの上部の薄肉部位における切り下ろしによるカットと、タンクの下部の厚肉部位における揺動による噛合いによるカットとができる解体方法の提供ができること、この掴み切取り作業は、解体具を揺動する動作が必要であるので、ことタンクの構造に対応した解体が行え、かつ短時間での効率的な解体と、解体に対する作業の簡略化、低コスト化、公害（騒音、塵埃等）の発生回避等が図れること、等の特徴がある。また、タンクの上部は薄肉であるので、比較的簡便にカットできることと、このタンク廃材はランダムにならず、一枚板の如く美麗に切断できること、等の特徴がある。
【図面の簡単な説明】
【図１】カッタ本体とアームとの関係を説明する拡大側面図である。
【図２】図１の平面図である。
【図３】本発明と重機との関係を説明する模式図である。
【図４】タンクの解体を説明する縮尺模式図であり、（イ）は一方の刃体に設けた嘴状の刃先をタンク内に設け、かつ一方の刃体に設けた噛合い刃部をタンクの上部に添接する状態を、（ロ）はタンクの所定位置までカットした状態を、（ハ）は他方の刃体の噛合い刃部と、一方の刃体の噛合い刃部とで、タンクの鋼板を挾む状態、（ニ）は鋼板を挾んだ状態で、アームを可動して対の刃体を矢印の如く、可動した状態を、（ホ）は、前記（ハ）の作業を繰返した状態を、（ヘ）は、前記（ニ）の作業を繰返した状態を、それぞれ示す。
【符号の説明】
１                  重機
２                  アーム
３                  手段
４                  手段部材
５                  リンク
６                  連結板
１０                一方の刃体
１００              噛合い刃部
１０１              嘴状の刃先
１１                カッタ本体
１２                他方の刃体
１２０              噛合い刃部
１３                手段
１４                手段部材
１５〜１８、１８ａ  枢軸
Ａ                  タンク
Ａ−１              鋼板
【図１】
0003585864.tif 000002
【図２】
0003585864.tif 000003
【図３】
0003585864.tif 000004
【図４】
0003585864.tif 000005